(57)【要約】【課題】電子機器を内部に有する筐体と、該筐体を覆うカバーと、前記筐体の内部発熱を強制通風して冷却するファンと、を有する電子機器装置に関し、電子機器装置が稼動中に、カバー取り外した場合、ファンの破損を低コストで防止できる電子機器装置を提供することを課題とする。【解決手段】ファン固定ユニット１９のベース１７がカバー１３を横断し、筐体１１に取り付けるようにして、ファンを取り外さないと前記カバーが取り外せない構造とする。構成する。【選択図】      図１
2004172205.tif 000002
【特許請求の範囲】
【請求項１】
電子機器を内部に有する筐体と、
該筐体を覆うカバーと、
前記筐体の内部発熱を強制通風して冷却するファンと、
を有する電子機器装置において、
前記ファンを取り外さないと前記カバーが取り外せない構造としたことを特徴とする電子機器装置。
【請求項２】
電子機器を内部に有する筐体と、
該筐体を覆うカバーと、
前記筐体の内部発熱を強制通風して冷却するファンと、
を有する電子機器装置において、
前記ファン、前記ファンの一方の端部に設けられたベース、及び前記ファンへ電力を供給する第１コネクタを有するファン固定ユニットと、
前記カバーに形成され、電子機器装置の外部から前記ファン固定ユニットを前記ファン側から挿入した場合、前記ファンは挿通し、前記ベースは挿通しない大きさに設定された穴と、
前記筐体内に設けられ、前記ファン固定ユニットの前記ファンを前記カバーの穴から挿入すると、前記第１コネクタと係合し、前記第１コネクタへ電力を供給する第２コネクタと、
を具備し、
１つの取付手段で、前記ファン固定ユニットの前記筐体への取り付け、及び、前記カバーの前記筐体への取り付けを行うようにしたことを特徴とする電子機器装置。
【請求項３】
前記取付手段は、ねじであることを特徴とする請求項２記載の電子機器装置。
【発明の詳細な説明】
【０００１】
【発明の属する技術分野】
本発明は、電子機器を内部に有する筐体と、該筐体を覆うカバーと、前記筐体の内部発熱を強制通風して冷却するファンとを有する電子機器装置に関する。
【０００２】
【従来の技術】
図６を用いて、従来の電子機器装置を説明する。（ａ）図は電子機器装置の外観図、（ｂ）図は（ａ）図でカバーを取り外した状態を示す図である。
【０００３】
図に示すように、電子機器装置１は、内部に電子機器を有する筐体３の天部には、筐体３の内部発熱を強制通風して冷却するファン５が設けられている。そして、通常、筐体３は（ａ）図に示すようにカバー７で覆われている。尚、カバー７にはファン５のための通風孔９が形成されている。
【０００４】
そして、電子機器装置１内の電子機器を保守点検する際には、（ｂ）図に示すように、カバー７を取り外す（例えば、特許文献１）。
【０００５】
【特許文献１】
特開平８−４６３７９号公報（第２頁、図４）
【０００６】
【発明が解決しようとする課題】
しかし、上記構成の電子機器装置において、筐体３に設けられたファン５が稼動している状態で、カバー７を筐体３から取り外すことが可能である。
【０００７】
例えば、電子機器装置が稼動停止の許されないサーバで、保守点検としてハードディスクの交換を行う場合、カバー７を筐体３から取り外し、ファン５が稼動している状態で、筐体３内のハードディスクの交換作業を行っている。このため、ファン５に工具等の異物が接触し、ファン５が破損する問題点がある。
【０００８】
これを解消するために、カバー７の着脱を検出する検出手段を設け、カバー７が取り外された場合、ファン５への電力供給を遮断し、ファン５の稼動を停止させることもできるが、コストがかかる問題点がある。
【０００９】
本発明は、上記問題点に鑑みてなされたもので、その課題は、電子機器装置が稼動中に、カバー取り外した場合、ファンの破損を低コストで防止できる電子機器装置を提供することにある。
【００１０】
【課題を解決するための手段】
上記課題を解決する請求項１記載の発明は、電子機器を内部に有する筐体と、該筐体を覆うカバーと、前記筐体の内部発熱を強制通風して冷却するファンと、を有する電子機器装置において、前記ファンを取り外さないと前記カバーが取り外せない構造としたことを特徴とする電子機器装置である。
【００１１】
図１は請求項１記載の発明の原理図である。
【００１２】
図において、１１は電子機器を内部に有する筐体、１３は筐体１１の一面を覆うカバー、１５は筐体１１内の内部発熱を強制通風して冷却するファンである。
【００１３】
本原理図では、ファン１５にはベース１７が設けられ、両者でファン固定ユニット１９となっている。このベース１７は、カバー１３を横断し、両サイドにはカバー１３が設けられる筐体１１の面と隣り合う面と対向する折り曲げ部を有する略コの字形となっている。
【００１４】
一方、カバー１３には、電子機器装置の外部からファン固定ユニット１９をファン１５から挿入した場合、ファンは挿通し、ベース１７は挿通しない大きさに設定された穴２１が形成されている。
【００１５】
このような構成によれば、カバー１３とファン１５とを筐体１１へ組み付ける場合には、最初にカバー１３を筐体１１に取り付け、次に、ファン１５（ファン固定ユニット１９）を取り付けなければならない。
【００１６】
又、カバー１３を取り外す場合には、その前にファン１５（ファン固定ユニット１９）を取り外し、次に、カバー１３を取り外さなければならない。
【００１７】
よって、カバー１３を取り外すと、ファン１５はすでに取り外されているので、電子機器装置稼動中の保守点検時でのファンの破損を低コストで防止できる。
【００１８】
請求項２記載の発明は、電子機器を内部に有する筐体と、該筐体を覆うカバーと、前記筐体の内部発熱を強制通風して冷却するファンと、を有する電子機器装置において、前記ファン、前記ファンの一方の端部に設けられたベース、及び前記ファンへ電力を供給する第１コネクタを有するファン固定ユニットと、前記カバーに形成され、電子機器装置の外部から前記ファン固定ユニットを前記ファン側から挿入した場合、前記ファンは挿通し、前記ベースは挿通しない大きさに設定された穴と、前記筐体内に設けられ、前記ファン固定ユニットの前記ファンを前記カバーの穴から挿入すると、前記第１コネクタと係合し、前記第１コネクタへ電力を供給する第２コネクタとを具備し、１つの取付手段で、前記ファン固定ユニットの前記筐体への取り付け、及び、前記カバーの前記筐体への取り付けを行うようにしたことを特徴とする電子機器装置である。
【００１９】
１つの取付手段で、前記ファン固定ユニットの前記筐体への取り付け、及び、前記カバーの前記筐体への取り付けを行うようにしたので、１つの取付手段を取り外すことで、前記ファン固定ユニットの前記筐体への取り付けが解除される。
【００２０】
そして、ファン固定ユニットを取り外すと、ファン固定ユニットの第１コネクタと筐体の第２コネクタとが離脱し、ファン固定ユニットのファンへの電力供給が遮断され、ファンが停止する。
【００２１】
最後に、カバーを筐体から取り外し、稼動中の電子機器装置の筐体内の電子機器の保守点検を行う。
【００２２】
このような構成によれば、カバーを取り外す前にファンが設けられたファン固定ユニットを取り外すことができるので、電子機器装置稼動中の保守点検時でのファンの破損を低コストで防止できる。
【００２３】
又、本発明では、前記ファン、前記ファンの一方の端部に設けられたベース、及び前記ファンの電力供給用の第１コネクタを有するファン固定ユニットと、前記カバーに形成され、電子機器装置の外部から前記ファン固定ユニットを前記ファン側から挿入した場合、前記ファンは挿通し、前記ベースは挿通しない大きさに設定された穴とを有することにより、ファンの交換を行なう場合、カバーを外さず、ファン固定ユニットのみを取り外すことができるので、ファン交換の工数を大幅に低減することができる。
【００２４】
請求項３記載の発明は、前記取付手段は、ねじであることを特徴とする請求項１記載の電子機器装置である。
【００２５】
前記取付手段は、ねじとしたことで、繰返し使用でき、さらに、大きな取り付け力を得ることができる。
【００２６】
【発明の実施の形態】
次に図面を用いて本発明の実施の形態例を説明する。
（第１の実施の形態例）
図２は第１の実施の形態例の電子機器装置の分解斜視図である。図において、電子機器装置５０において、５１は電子機器を内部に有する筐体、５３は筐体５１の開口５５を覆うカバーである。ファン固定ユニット５７は、筐体５１の内部発熱を強制通風して冷却するファン５９と、ファン５９の一方の端部に設けられたベース６１と、ファン５９の他方の端部（図２においては下面）に設けられ、ファン５９へ電力を供給する第１コネクタ６３とからなっている。
【００２７】
一方、カバー５３には、電子機器装置５０の外部からファン固定ユニット５７をファン５９側から挿入した場合、ファン５９は挿通し、ベース６１は挿通しない大きさに設定された穴７１が形成されている。
【００２８】
よって、図２に示す状態から、ファン固定ユニット５７をカバー５３に向かって移動させると、ファン５９はカバー５３の穴７１を挿通し、ベース６１はカバー５３に当接し、それ以上の移動が禁止されるようになっている。
【００２９】
又、筐体５１内には、ファン固定ユニット５７のファン５９をカバー５３の穴７１から挿入し、ベース６１がカバー５３に当接すると、ファン固定ユニット５７の第１コネクタ６３が係合し、第１コネクタ６３へ電力を供給する第２コネクタ７３が設けられている。
【００３０】
ファン固定ユニット５７のベース６１の両側には、貫通穴８１が形成されている。そして、ファン固定ユニット５７のファン５９をカバー５３の穴７１から挿入し、ベース６１がカバー５３に当接した状態で、ベース６１の貫通穴８１と対向するカバー５３の部分にも、貫通穴８３が形成されている。又、カバー５３の四隅にも、貫通穴８５が形成されている。
【００３１】
カバー５３を筐体５１にセットした状態で、カバー５３の貫通穴８３と対向する筐体５１の部分には、めねじ穴８７が形成されている。さらに、カバー５３の貫通穴８５と対向する筐体５１の部分には、めねじ穴８９が形成されている。
【００３２】
ここで、ファン固定ユニット５７、カバー５３の筐体５１への取付方法を説明する。
【００３３】
最初に、カバー５３の四隅の貫通穴８５を挿通し、筐体５１のめねじ穴８９に螺合するねじ９３で、カバー５３の筐体５１への取り付けを行なう。
【００３４】
次に、ファン固定ユニット５７のファン５９をカバー５３の穴７１から挿入し、ベース６１をカバー５３に当接させる。ファン固定ユニット５７のベース６１の貫通穴８１、カバー５３の貫通穴８３を挿通し、筐体５１のめねじ穴８７に螺合するねじ（１つの取付手段）９１で、ファン固定ユニット５７の筐体５１への取り付け、及び、カバー５３の筐体５１への取り付けを行う。
【００３５】
次に、ファン固定ユニット５７、カバー５３の筐体５１からの取り外し方法を説明する。１つの取付手段であるねじ９１を緩めて取り外すことで、ファン固定ユニット５７の筐体５１への取り付けが解除される。
【００３６】
そして、ファン固定ユニット５７を取り外すと、ファン固定ユニット５７の第１コネクタ６３と筐体５１の第２コネクタ７３とが離脱し、ファン固定ユニット５７のファン５９への電力供給が遮断され、ファン５９が停止する。
【００３７】
最後に、ねじ９３を緩めて、カバー５３を筐体５１から取り外し、稼動中の電子機器装置５０の筐体５１内の電子機器の保守点検を行う。
【００３８】
このような構成によれば、カバー５３を取り外す前にファン５９が設けられたファン固定ユニット５７を取り外すことができるので、電子機器装置稼動中の保守点検時でのファン５９の破損を低コストで防止できる。
【００３９】
又、本実施の形態例では、ファン５９の交換を行なう場合、カバー５３を外さず、ファン固定ユニット５７のみを取り外すことができるので、ファン交換の工数を大幅に低減することができる。
【００４０】
さらに、取付手段としてねじ９１を用いたことで、繰返し使用でき、さらに、大きな取り付け力を得ることができる。
【００４１】
本発明は上記実施の形態例に限定するものではない。上記実施の形態例では、取付手段としてねじ９１を用いたが、弾性体でなり複数回着脱可能なクリップであってもよい。
（第２の実施の形態例）
図３、図４を用いて説明する。図３は第２の実施の形態例の分解斜視図、図４は図３の切断線Ａ−Ａでの断面図である。尚、これらの図で、図２と同一部分には、同一符号を付し、重複する説明は省略する。
【００４２】
本実施の形態例と第１の実施の形態例との相違点はカバーの形状である。本実施の形態例のカバーは、第１カバー１０１と第２カバー１０３とからなっており、これら２つカバーで、筐体５１の開口５５を覆っている。
【００４３】
図４に示すように第１カバー１０１と第２カバー１０３とは、筐体５１に取り付けた際に重なり合う重合部１０１ａ、重合部１０３ａを有し、第１カバー１０１の重合部１０１ａが第２カバー１０３の重合部１０３ａの上にくるように、第１カバー１０１の重合部１０１ａは、段部１０１ｂに形成されている。
【００４４】
又、第１カバー１０１の段部１０１ｂには、電子機器装置５０の外部からファン固定ユニット５７をファン５９側から挿入した場合、ファン５９は挿通し、ベース６１は挿通しない大きさに設定された穴１０５が形成されている。
【００４５】
ファン固定ユニット５７のファン５９を第１カバー１０１の穴１０５から挿入し、ベース６１が第１カバー１０１に当接した状態で、ベース６１の貫通穴８１と対向する第１カバー１０１の部分には、貫通穴１１１が形成されている。又、第１カバー１０１には筐体５１のめねじ穴８９と対向する貫通穴１１３が、第２カバー１０３には、筐体５１のめねじ穴８９と対向する貫通穴１１５が形成されている。
【００４６】
ここで、ファン固定ユニット５７、第１カバー１０１、第２カバー１０３の筐体５１への取付方法を説明する。
【００４７】
最初に、第２カバー１０３の貫通穴１１５を挿通し、筐体５１のめねじ穴８９に螺合するねじ９３で、第２カバー１０３を筐体５１に取り付ける。
【００４８】
第１カバー１０１の貫通穴１１３を挿通し、筐体５１のめねじ穴８９に螺合するねじ９３で、第１カバー１０１を筐体５１に取り付ける。
【００４９】
次に、ファン固定ユニット５７のファン５９を第１カバー１０１の穴７１から挿入し、ベース６１を第１カバー１０１に当接させる。そして、ファン固定ユニット５７のベース６１の貫通穴８１、第１カバー１０１の貫通穴１１１を挿通し、筐体５１のめねじ穴８７に螺合するねじ（１つの取付手段）９１で、ファン固定ユニット５７の筐体５１への取り付け、及び、第１カバー１０１、第２カバー１０３の筐体５１への取り付けを行なう。
【００５０】
次に、ファン固定ユニット５７、第１カバー１０１、第２カバー１０３の筐体５１からの取り外し方法を説明する。１つの取付手段であるねじ９１を緩めて取り外すことで、ファン固定ユニット５７の筐体５１への取り付けが解除される。
【００５１】
そして、ファン固定ユニット５７を取り外すと、ファン固定ユニット５７の第１コネクタ６３と筐体５１の第２コネクタ７３とが離脱し、ファン固定ユニット５７のファン５９への電力供給が遮断され、ファン５９が停止する。
【００５２】
最後に、ねじ９３を緩めて、第１カバー１０１、第２カバー１０３を筐体５１から取り外し、稼動中の電子機器装置５０の筐体５１内の電子機器の保守点検を行う。
【００５３】
このような構成によれば、第１カバー１０１、第２カバー１０３を取り外す前にファン５９が設けられたファン固定ユニット５７を取り外すことができるので、電子機器装置稼動中の保守点検時でのファン５９の破損を低コストで防止できる。
【００５４】
又、本実施の形態例では、ファン５９の交換を行なう場合、カバー５３を外さず、ファン固定ユニット５７のみを取り外すことができるので、ファン交換の工数を大幅に低減することができる。
【００５５】
さらに、取付手段としてねじ９１を用いたことで、繰返し使用でき、さらに、大きな取り付け力を得ることができる。
（第３の実施の形態例）
第３の実施の形態例の分解斜視図である図５を用いて説明する。尚、図５において、図２と同一部分には、同一符号を付し、重複する説明は省略する。
【００５６】
本実施の形態例と第１の実施の形態例との相違点は、ファン固定ユニット１５７のベース１６１の形状である。
【００５７】
ファン固定ユニット１５７のベース１６１は、カバー５３を横断する基部１６３と、基部１６３の両サイドから折り曲げられ、カバー５３が設けられる筐体５１の面と隣り合う面と対向する折り曲げ部１６５を有する略コの字形となっている。
【００５８】
折り曲げ部１６５には貫通穴１６７が形成されている。
【００５９】
ファン固定ユニット５７のファン５９をカバー５３の穴７１から挿入し、ベース１６１がカバー５３に当接した状態で、ベース１６１の折り曲げ部１６５の貫通穴１６７と対向する筐体５１の部分には、めねじ穴１６９が形成されている。
【００６０】
ここで、ファン固定ユニット１５７、カバー５３の筐体５１への取付方法を説明する。
【００６１】
最初に、カバー５３の四隅の貫通穴８５を挿通し、筐体５１のめねじ穴８９に螺合するねじ９３で、カバー５３の筐体５１への取り付けを行なう。
【００６２】
次に、ファン固定ユニット１５７のファン５９をカバー５３の穴７１から挿入し、ベース６１をカバー５３に当接させる。ファン固定ユニット１５７のベース６１の折り曲げ部１６５の貫通穴１６７を挿通し、筐体５１のめねじ穴１６９に螺合するねじ１７１で、ファン固定ユニット１５７の筐体５１への取り付け、及び、カバー５３の筐体５１への取り付けを行う。
【００６３】
次に、ファン固定ユニット１５７、カバー５３の筐体５１からの取り外し方法を説明する。ねじ１７１を緩めて取り外すことで、ファン固定ユニット５７の筐体５１への取り付けが解除される。
【００６４】
そして、ファン固定ユニット１５７を取り外すと、ファン固定ユニット１５７の第１コネクタ６３と筐体５１の第２コネクタ７３とが離脱し、ファン固定ユニット１５７のファン５９への電力供給が遮断され、ファン５９が停止する。
【００６５】
最後に、ねじ９３を緩めて、カバー５３を筐体５１から取り外し、稼動中の電子機器装置５０の筐体５１内の電子機器の保守点検を行う。
【００６６】
このような構成によれば、カバー５３を取り外す前にファン５９が設けられたファン固定ユニット１５７を取り外さなければならないので、電子機器装置稼動中の保守点検時でのファン５９の破損を低コストで防止できる。
【００６７】
又、本実施の形態例では、ファン５９の交換を行なう場合、カバー５３を外さず、ファン固定ユニット１５７のみを取り外すことができるので、ファン交換の工数を大幅に低減することができる。
【００６８】
【発明の効果】
以上述べたように請求項１記載の発明によれば、前記ファンを取り外さないと前記カバーが取り外せない構造としたことにより、電子機器装置稼動中の保守点検時でのファンの破損を低コストで防止できる。
【００６９】
請求項２記載の発明によれば、カバーを取り外す前にファンが設けられたファン固定ユニットを取り外すことができるので、電子機器装置稼動中の保守点検時でのファンの破損を低コストで防止できる。
【００７０】
又、本発明では、ファンの交換を行なう場合、カバーを外さず、ファン固定ユニットのみを取り外すことができるので、ファン交換の工数を大幅に低減することができる。
【００７１】
請求項３記載の発明によれば、前記取付手段は、ねじとしたことで、繰返し使用でき、さらに、大きな取り付け力を得ることができる。
【図面の簡単な説明】
【図１】請求項１記載の発明の原理図である。
【図２】第１の実施の形態例の電子機器装置の分解斜視図である。
【図３】第２の実施の形態例の分解斜視図である。
【図４】図３の切断線Ａ−Ａでの断面図である。
【図５】第３の実施の形態例の分解斜視図である。
【図６】従来の電子機器装置を説明する図であり、（ａ）図は電子機器装置の外観図、（ｂ）図は（ａ）図でカバーを取り外した状態を示す図である。
【符号の説明】
１１  筐体
１２  穴
１５  ファン
１７  ベース
【図１】
2004172205.tif 000003
【図２】
2004172205.tif 000004
【図３】
2004172205.tif 000005
【図４】
2004172205.tif 000006
【図５】
2004172205.tif 000007
【図６】
2004172205.tif 000008